(57)【要約】【目的】趣向性にも富むティッシュケースホルダーを提供する。【構成】ティッシュペーパーが積層状態に収納されているティッシュケースを保持するティッシュケースホルダーにおいて、  該ティッシュケースホルダーが、実在又は架空のキャラクターから形成された２個のホルダー本体と、該２個のホルダー本体を接続する吊下げ紐と、該２個のホルダー本体の夫々に設けられて前記ティッシュケースの側面蓋に側方から差し込まれる止着具と、を有してなり、一方のホルダー本体の止着具を前記側面蓋の一方の側方から差し込み、他方のホルダー本体の止着具を前記側面蓋の他方の側方から差し込むことで前記側面蓋に止着する構成であることを特徴とするティッシュケースホルダーである。【選択図】        図１
2007284083.tif 000002
【特許請求の範囲】
【請求項１】
ティッシュペーパーが積層状態に収納されているティッシュケースを吊下げ状態に保持するティッシュケースホルダーにおいて、
該ティッシュケースホルダーが、実在又は架空のキャラクターから形成された２個のホルダー本体と、該２個のホルダー本体を接続する吊下げ紐と、該２個のホルダー本体の夫々に設けられて前記ティッシュケースの側面蓋に側方から差し込まれる止着具と、を有してなり、一方のホルダー本体の止着具を前記側面蓋の一方の側方から差し込み、他方のホルダー本体の止着具を前記側面蓋の他方の側方から差し込むことで前記側面蓋に止着する構成であることを特徴とするティッシュケースホルダー。
【請求項２】
前記止着具が、ホルダー本体を構成するキャラクターの手ないし前肢に設けられていることを特徴とする請求項１に記載のティッシュケースホルダー。
【請求項３】
前記止着具が、重層する２枚の薄板間で前記ティッシュケースの側面蓋を挟着する構成のクリップであることを特徴とする請求項１又は２に記載のティッシュケースホルダー。
【請求項４】
前記止着具が、透明ないし半透明材料から形成されていることを特徴とする請求項１〜３のいずれかに記載のティッシュケースホルダー。
【請求項５】
前記止着具が、ホルダー本体を構成するキャラクターの手ないし前肢の先端ないし先端近傍に取り付けられていることを特徴とする請求項１〜４のいずれかに記載のティッシュケースホルダー。
【請求項６】
ホルダー本体を構成するキャラクターが縫ぐるみであることを特徴とする請求項１〜５のいずれかに記載のティッシュケースホルダー。
【発明の詳細な説明】
【技術分野】
【０００１】
本発明はティッシュケースホルダーに関し、詳しくは市販のティッシュケース（ティッシュペーパーが収納されている紙製などの箱）を紐類で吊下げる形式のホルダーに関する。
【背景技術】
【０００２】
従来、ティッシュケースの取り付け用としてのホルダーは種々の構成を有する様々な形式のものが多数提案されている。
【０００３】
様々な形式のホルダーの内、吊下げ紐等をティッシュケースに止着等することで吊下げる形式のものとしては特許文献１等が知られており、また止着具等によって壁等に取り付ける形式のものとしては特許文献２〜４等が知られている。
【０００４】
【特許文献１】実開平３−４５８６号
【特許文献２】特許第３７０９１８２号
【特許文献３】特開２００２−２６３０３１号
【特許文献４】特開２００６−６６２０号
【発明の開示】
【発明が解決しようとする課題】
【０００５】
特許文献１の技術は、ティッシュケースを吊下げた状態で使用することができ、ホルダーとしての実用性は高いが、実用性以外の特徴を有しておらず趣向性に劣るものである。
【０００６】
特許文献２〜４の技術は、いずれも壁等に確実に取り付けることができ、ホルダーとしての実用性は高いが、上記特許文献１の技術と同様に、実用性以外の特徴を有しておらず趣向性に劣るものである。
【０００７】
この点、本発明者は実用性を備えた上で更に趣向性に富むホルダーとして、特願２００３−３６１６０において、弾性部材で形成されたアームを内蔵するティッシュケース保持手段を設けた実在又は架空のキャラクターから形成されたホルダーを先に提案した。
【０００８】
本発明者は、かかる技術について更に研究を重ね、この先提案技術の改良技術として、弾性部材で形成されたアームを不要とした簡易な構成で趣向性をより向上させた技術を見出すことができた。
【０００９】
そこで本発明の課題は、趣向性にも富むティッシュケースホルダーを提供することにある。
【課題を解決するための手段】
【００１０】
上記課題を解決する本発明は、下記構成を有する。
【００１１】
１．ティッシュペーパーが積層状態に収納されているティッシュケースを吊下げ状態に保持するティッシュケースホルダーにおいて、
該ティッシュケースホルダーが、実在又は架空のキャラクターから形成された２個のホルダー本体と、該２個のホルダー本体を接続する吊下げ紐と、該２個のホルダー本体の夫々に設けられて前記ティッシュケースの側面蓋に側方から差し込まれる止着具と、を有してなり、一方のホルダー本体の止着具を前記側面蓋の一方の側方から差し込み、他方のホルダー本体の止着具を前記側面蓋の他方の側方から差し込むことで前記側面蓋に止着する構成であることを特徴とするティッシュケースホルダー。
【００１２】
２．前記止着具が、ホルダー本体を構成するキャラクターの手ないし前肢に設けられていることを特徴とする上記１に記載のティッシュケースホルダー。
【００１３】
３．前記止着具が、重層する２枚の薄板間で前記ティッシュケースの側面蓋を挟着する構成のクリップであることを特徴とする上記１又は２に記載のティッシュケースホルダー。
【００１４】
４．前記止着具が、透明ないし半透明材料から形成されていることを特徴とする上記１〜３のいずれかに記載のティッシュケースホルダー。
【００１５】
５．前記止着具が、ホルダー本体を構成するキャラクターの手ないし前肢の先端ないし先端近傍に取り付けられていることを特徴とする上記１〜４のいずれかに記載のティッシュケースホルダー。
【００１６】
６．ホルダー本体を構成するキャラクターが縫ぐるみであることを特徴とする上記１〜５のいずれかに記載のティッシュケースホルダー。
【発明の効果】
【００１７】
請求項１に示す発明によれば、ティッシュケースホルダーが、実在又は架空のキャラクターから形成された２個のホルダー本体と、該２個のホルダー本体を接続する吊下げ紐と、該２個のホルダー本体の夫々に設けられて前記ティッシュケースの側面蓋に側方から差し込まれる止着具と、を有してなり、一方のホルダー本体の止着具を前記側面蓋の一方の側方から差し込み、他方のホルダー本体の止着具を前記側面蓋の他方の側方から差し込むことで前記側面蓋に止着する構成により、ティッシュケースをキャラクターがあたかも吊下げているかのように見せることができるので、趣向性に富んだティッシュケースホルダーとなる。
【００１８】
請求項２に示す発明によれば、止着具が、ホルダー本体を構成するキャラクターの手ないし前肢に設けられていることにより、ティッシュケースをキャラクターがあたかも手で持っているかのように見せることができる。
【００１９】
請求項３に示す発明によれば、止着具が、重層する２枚の薄板間で前記ティッシュケースの側面蓋を挟着する構成により、ホルダー本体に確実に止着することができる。
【００２０】
請求項４に示す発明によれば、止着具が、透明ないし半透明材料から形成されていることにより、ホルダー本体に設けられている止着具を目立たなくすることができる。
【００２１】
請求項５に示す発明によれば、止着具が、ホルダー本体を構成するキャラクターの手ないし前肢の先端ないし先端近傍に取り付けられていることにより、ティッシュケースをキャラクターが手で持っているかのような印象をよりリアルにすることができる。
【００２２】
請求項６に示す発明によれば、ホルダー本体を構成するキャラクターが縫ぐるみであることにより、ティッシュケースを愛らしい縫ぐるみが一所懸命に持っているかのように見せることができる。
【発明を実施するための最良の形態】
【００２３】
図面に従って、本発明の実施例を詳細に説明する。
【００２４】
図１は本発明に係るティッシュケースホルダーの一実施例を示す概略斜視図、図２は図１の要部拡大斜視図、図３は止着具の他の実施例を示す斜視図、図４は吊下げ状態の他の実施例を示す概略斜視図、図５は止着具の他の実施例を示す斜視図である。
【００２５】
図１において、１は本発明に係るティッシュケースホルダーであり、実在又は架空のキャラクターから形成された２個のホルダー本体１１・１２と、該２個のホルダー本体１１・１２を接続する吊下げ紐１３と、該２個のホルダー本体１１・１２の夫々の手（前肢）１１Ａ・１２Ａに設けられ、ティッシュケース２の側面蓋２１に側方から差し込まれて該側面蓋２１に挟着状態に止着する止着具１４・１４と、を有して構成されている。
【００２６】
ティッシュケース２は、ティッシュペーパー２３が積層状態に収納されている紙製などの箱からなる市販のものであり、上面に取り出し用穴２２が設けられ、使用時に該取り出し用穴２３からティッシュペーパー２３を取り出すことができる。また、側面蓋２１は、ティッシュケース２の製造時にティッシュペーパー２３を箱内に詰める際と、ティッシュペーパー２３全量使用後の廃棄時に解体する際に閉塞・開放されるものであり、両側方に箱解体時等に手指が入れられる間隙２４を有している。
【００２７】
本発明のティッシュケースホルダー１によってティッシュケース２を吊下げ状態で保持するには、２個のホルダー本体１１・１２の一方のホルダー本体１１の止着具１４を前記側面蓋２１の一方の側方から差し込み、他方のホルダー本体１２の止着具１４を前記側面蓋２１の他方の側方から（図１の矢符Ｘ方向に）差し込むことで前記側面蓋２１に止着することができるので、この状態で吊下げ紐１３をフック類３等に引掛けることで吊下げが可能となる。
【００２８】
以下、ティッシュケースホルダー１の各構成について更に説明する。
【００２９】
２個のホルダー本体１１・１２は、本実施例では動物キャラクターの縫ぐるみで夫々構成されている。実在或いは架空のキャラクターとしては、熊・猫・犬・猿・大熊猫などの実在の動物、これらをアレンジした架空のキャラクター、映画やＴＶのアニメーション或いは漫画等に由来する各種のキャラクターであって、フィギュアと呼ばれる範疇のものを包含する。また、２個のホルダー本体１１・１２を構成するキャラクターは、同一のものを２個用いてもよいし、同一のキャラクターであって異なる構成（異なる姿勢、異なる表情等）の２個であってもよいし、関連するキャラクターであって異なる種類（親子、ライバル等）の２個であってもよいし、全く異なるキャラクターの２個等であってもよい。更に、縫ぐるみの他、木、合成樹脂、陶磁器、金属等の素材で形成された人形類であってもよい。
【００３０】
２個のホルダー本体１１・１２を接続する吊下げ紐１３は、キャラクター等の種類・色彩・素材等に合せた材質や色彩のものを用いることが好ましく、例えば、毛糸状のものやリボンテープ状のもの等を用いることができる。
【００３１】
該吊下げ紐１３は、任意の壁或いは柱等に取り付けられたフック類３等に引掛けることにより、ティッシュケースホルダー１及びティッシュケース２を吊下げることができる。尚、吊下げ紐１３がフック類３を備えていてもよい。また、図４に示すように、自動車内で使用する時は、フック類３の替わりにシート４のヘッドレスト４１の支持アーム４２に引掛けることでシート４の背後に吊下げることができる。
【００３２】
前記２個のホルダー本体１１・１２の夫々の手（前肢）１１Ａ・１２Ａに設けられる止着具１４・１４は、図２に示すように手（前肢）１１Ａ・１２Ａの先端部分に縫い糸等の如き糸状部材１５により取り付けられている。尚、図３に示すように、糸状部材１５を通すための透孔１４Ｃを設けた止着具１４’を用いることもできる。尚また、糸状部材１５に限らず、針金等の他の掛止部材や接着剤等で取り付けてもよいし、ホルダー本体１１・１２が合成樹脂製等で形成されている場合には、止着具１４をホルダー本体１１・１２と一体的に形成してもよい。
【００３３】
止着具１４の取付位置としては、本実施例の手（前肢）１１Ａ・１２Ａの先端部分が好ましいが、これに限らず、先端近傍であってもよいし、足（後肢）でもよいし、口でもよいし、その他の部位であってもよい。
【００３４】
止着具１４は、図２に示すように、重層する２枚の薄板（上板部１４Ａ・下板部１４Ｂ）を有し、該２枚の薄板（上板部１４Ａ・下板部１４Ｂ）間で前記ティッシュケース２の側面蓋２１を挟着状態に止着する構成のクリップである。
【００３５】
該止着具１４による側面蓋２１の止着は、２枚の薄板の上板部１４Ａが側面蓋２１の上面を抑え、下板部１４Ｂが間隙２４に入り込んだ状態で側面蓋２１の下面を抑え、この上下面からの抑えである挟着によって行われる。
【００３６】
該止着具１４は、透明ないし半透明材料から形成されていることが好ましく、該透明ないし半透明材料としては、ポリプロピレン等に代表される弾性を有する合成樹脂が挙げられる。尚、止着具１４は、本実施例の重層する２枚の薄板状の形状に限らず、ゼムクリップ等のクリップでもよい。尚また、止着具１４を形成する素材としては、合成樹脂製に限らず、弾性を有する金属製であってもよい。
【００３７】
以上、本発明に係るティッシュケースホルダー１の実施例について説明したが、本発明は上記に限定されず、本発明の範囲内において他の構成を採ることもできる。例えば、重層する２枚の薄板間で挟着する止着具１４・１４’に代えて、図５に示すような１枚構成の止着具１４”をティッシュケースの側面蓋２１側方の間隙２４から該側面蓋２１の下面に差し込むことで止着する構成を採ることもできる。図５において、１４Ｄは糸状部材１５等を挿通するための挿通部である。
【図面の簡単な説明】
【００３８】
【図１】本発明に係るティッシュケースホルダーの一実施例を示す概略斜視図
【図２】図１の要部拡大斜視図
【図３】止着具の他の実施例を示す斜視図
【図４】吊下げ状態の他の実施例を示す概略斜視図
【図５】止着具の他の実施例を示す斜視図
【符号の説明】
【００３９】
１  ティッシュケースホルダー
１１  ホルダー本体
１１Ａ  手（前肢）
１２  ホルダー本体
１２Ａ  手（前肢）
１３  吊下げ紐
１４  止着具
１４’  止着具
１４”  止着具
１４Ａ  上板部
１４Ｂ  下板部
１４Ｃ  透孔
１４Ｄ  挿通部
１５  糸状部材
２  ティッシュケース
２１  側面蓋
２２  取り出し用穴
２３  ティッシュペーパー
２４  間隙
３  フック類
４  シート
４１  ヘッドレスト
４２  支持アーム
【図１】
2007284083.tif 000003
【図２】
2007284083.tif 000004
【図３】
2007284083.tif 000005
【図４】
2007284083.tif 000006
【図５】
2007284083.tif 000007